(57)【要約】【課題】  パネル型シートバックフレームを有する乗物用シートにおいて、操作ケーブルの配索構造を備えた乗物用シートを提供する。【解決手段】  操作ケーブル２３は、レバーブラケット９の端部９Ｂ及び又はアッパーパネル部７の端部７Ｅを通過して、レバーブラケット９と第１面部７Ａとに挟まれた空間Ｓ１から当該空間Ｓ１外に配索される。そして、操作ケーブル２３の配索方向を規制する配索規制部２５がレバーブラケット９に設けられているので、操作ケーブル２３がレバーブラケット９とアッパーパネル部７との隙間に噛み込むことを抑制できる。したがって、操作ケーブル２３を確実に作動させることができ得る。【選択図】図３
2018020730.tif 000002
【特許請求の範囲】
【請求項１】
着席者の背部を支持するシートバック、及び当該シートバックの上端側に設けられた操作レバーを有する乗物用シートにおいて、
前記シートバックを構成するシートバックフレームであって、シート幅方向において互い対向配設されて略上下方向に延びる一対のサイドフレーム部、及びシート幅方向に延びて前記一対のサイドフレーム部の上端側を連結するとともに、シート前後方向に対して略直交するパネル部が設けられたアッパーパネル部を有するシートバックフレームと、
前記操作レバーを支持するためのブラケットであって、前記シートバックフレームに固定されたブラケットと、
前記操作レバーの操作を伝達する操作ケーブルであって、前記ブラケットの端部又は前記アッパーパネル部の端部を通過して、前記ブラケットと前記パネル部とに挟まれた空間から当該空間外に配索された操作ケーブルと、
前記ブラケット及び前記アッパーパネル部のうち少なくとも一方に設けられ、前記操作ケーブルの配索方向を規制する配索規制部と
を備える乗物用シート。
【請求項２】
前記配索規制部は、シート幅方向及び上下方向のうち少なくとも一方の方向を規制する請求項１に記載の乗物用シート
【請求項３】
前記配索規制部は、シート幅方向を規制する第１規制部、及び上下方向を規制する第２規制部を有しており、
さらに、前記ブラケット及び前記アッパーパネル部は、シート前後方向の配索方向を規制可能である請求項２に記載の乗物用シート。
【請求項４】
前記配索規制部は、前記ブラケットの端部から前記パネル部側に延びた延出部により構成されている請求項４に記載の乗物用シート。
【発明の詳細な説明】
【技術分野】
【０００１】
本発明は、自動車、鉄道車両、船舶及び航空機等の乗物に用いられる乗物用シートに関する。
【背景技術】
【０００２】
例えば、特許文献１に記載の乗物用シートは、「ウォークインスライド機能」及び当該機能を実現するための「ウォークイン機構」を有している。当該機能は、「シートバックがシート前方側に倒伏する作動に連動してシートクッションをシート前後方向にスライド可能とする機能」である。そして、シートバックの上端側にウォークイン機構を操作するための操作レバーが設けられている。操作レバーの操作は、操作ケーブルを介してウォークイン機構に伝達される。
【先行技術文献】
【特許文献】
【０００３】
【特許文献１】特開２００６−３４１７００号公報
【発明の概要】
【発明が解決しようとする課題】
【０００４】
シートバックの上端側に操作レバーが設けられた乗物用シートにおいては、シートバックフレームの上端側のうちシート幅方向一端側にレバーブラケットが固定される。レバーブラケットは、操作レバーを支持するためのブラケットである。
【０００５】
シートバックフレームはシートバックを構成する門型状のラーメン構造体である。近年のシートバックフレーム（以下、パネル型シートバックフレームという。）は、一対のサイドフレーム部及びパネル状のアッパーパネル部等により門型状のラーメン構造体が構成されている。
【０００６】
なお、従来型のシートバックフレーム（以下、パイプ型シートバックフレームという。）は、一対のサイドフレーム部及びパイプ状のアッパーパイプ部等により門型状のラーメン構造体が構成されていた。因みに「ラーメン構造体」とは、部材と部材との連結部位において、曲げモーメントに対抗する曲げ応力が発生する構造体をいう。
【０００７】
パネル型シートバックフレームとパイプ型シートバックフレームとは構造が異なるので、操作ケーブルの配索構造をパイプ型シートバックフレームと同様な構造とすることは難しい。
【０００８】
そこで、本願は、パネル型シートバックフレームを有する乗物用シートにおいて、操作ケーブルを備えた乗物用シートを提供する。
【課題を解決するための手段】
【０００９】
本願では、シートバックを構成するシートバックフレーム（１）であって、シート幅方向において互い対向配設されて略上下方向に延びる一対のサイドフレーム部（３、５）、及びシート幅方向に延びて一対のサイドフレーム部（３、５）の上端側を連結するとともに、シート前後方向に対して略直交するパネル部（７Ａ）が設けられたアッパーパネル部（７）を有するシートバックフレーム（１）と、シートバックの上端側に設けられた操作レバー（２０）を支持するためのブラケット（９）であって、シートバックフレーム（１）に固定されたブラケット（９）と、操作レバー（２０）の操作を伝達する操作ケーブル（２３）であって、ブラケット（９）の端部（９Ｂ）又はアッパーパネル部（７）の端部（７Ｄ）を通過して、ブラケット（９）とパネル部（７Ａ）とに挟まれた空間（Ｓ１）から当該空間（Ｓ１）外に配索された操作ケーブル（２３）と、ブラケット（９）及びアッパーパネル部（７）のうち少なくとも一方に設けられ、操作ケーブル（２３）の配索方向を規制する配索規制部（２５）とを備える。
【００１０】
本願に係る操作ケーブル（２３）は、ブラケット（９）の端部（９Ｂ）又はアッパーパネル部（７）の端部（７Ｄ）を通過して、ブラケット（９）とパネル部（７Ａ）とに挟まれた空間（Ｓ１）から当該空間（Ｓ１）外に配索される。
【００１１】
このため、操作ケーブル（２３）に操作力が作用したとき操作ケーブル（２３）が移動し、当該操作ケーブル（２３）がブラケット（９）とアッパーパネル部（７）との隙間に噛み込むおそれがある。なお、操作ケーブル（２３）が隙間に噛み込むと、操作ケーブル（２３）の作動が阻害されるおそれがある。
【００１２】
しかし、本願では、操作ケーブル（２３）の配索方向を規制する配索規制部（２５）が設けられているので、操作ケーブル（２３）がブラケット（９）とアッパーパネル部（７）との隙間に噛み込むことを抑制できる。したがって、操作ケーブル（２３）を確実に作動させることができ得る。
【００１３】
なお、本願は、以下のように構成してもよい。
例えば、配索規制部（２５）は、シート幅方向及び上下方向のうち少なくとも一方の方向を規制することが望ましい。
【００１４】
配索規制部（２５）は、シート幅方向を規制する第１規制部（２５Ａ）、及び上下方向を規制する第２規制部（２５Ｂ）を有しており、さらに、ブラケット（９）及びアッパーパネル部（７）は、シート前後方向の配索方向を規制可能であることが望ましい。
【００１５】
配索規制部（２５）は、ブラケット（９）の端部からパネル部（７Ａ）側に延びた延出部により構成されていることが望ましい。これにより、配索規制部（２５）を容易に設けることができる。
【００１６】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１７】
【図１】本発明の第１実施形態に係るシートバックフレーム１の前面側斜視図である。
【図２】本発明の第１実施形態に係るシートバックフレーム１の後面側斜視図である。
【図３】本発明の第１実施形態に係るシートバックフレーム１の後面側斜視図である。
【図４】本発明の第１実施形態に係るシートバックフレーム１の後面図である。
【図５】図５のＡ−Ａ断面図である。
【図６】本発明の第１実施形態に係る配索規制部２５の拡大図である。
【図７】本発明の第２実施形態に係るシートバックフレーム１の後面図である。
【図８】図７のＡ−Ａ断面図である。
【発明を実施するための形態】
【００１８】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１９】
以下、本発明の実施形態を図面と共に説明する。なお、各図に付された方向を示す矢印等は、各図相互の関係を理解し易くするために記載したものである。本発明は、各図に付された方向に限定されるものではない。
【００２０】
少なくとも符号を付して説明した部材又は部位は、「１つの」等の断りをした場合を除き、少なくとも１つ設けられている。つまり、当該部材が２以上設けられていてもよい。
（第１実施形態）
本実施形態は、３列シートを備えたミニバンの入口側２列目シート、又は車普通乗用車の助手席側前席用シートに本発明に係る乗物用シートを適用したものである。なお、以下の説明における方向は、本実施形態に係る乗物用シートを車両に組み付けた状態における方向を意味する。
【００２１】
１．乗物用シートの概要
図１及び図２に示すように、本実施形態に係る乗物用シートのシートバックフレーム１は、門型状のラーメン構造体により構成されたパネル型シートバックフレームである。シートバックフレーム１は、乗物用シートのシートバックを構成する。
【００２２】
なお、シートバックは、着席者の背部を支持する背もたれ部分である。シートバックフレーム１は、クッションパッド部（図示せず。）及び表皮部（図示せず。）にて覆われている。
【００２３】
クッションパッド部は衝撃力を吸収するための部材である。当該クッションパッド部は、例えば、発泡ウレタン等の変形しながら衝撃力を吸収する材質である。表皮部は、クッションパッド部を覆う部材である。当該表皮部は、例えば、革や合成皮革等製である。
【００２４】
シートバックフレーム１は、一対のサイドフレーム部３、５、及びアッパーパネル部７等を有する。一対のサイドフレーム部３、５は、略上下方向に延びるとともに、シート幅方向において互い対向配設されたフレームである。なお、シート幅方向は、本実施形態では、車両の左右方向と一致する。
【００２５】
以下、一対のサイドフレーム部３、５のうちシート幅方向一端（本実施形態では左端）側に配設されたサイドフレームを第１サイドフレーム部３という。一対のサイドフレーム部３、５のうちシート幅方向他端（本実施形態では右端）側に配設されたサイドフレームを第２サイドフレーム部５という。
【００２６】
第１サイドフレーム部３と第２サイドフレーム部５とは、シート幅方向において互いに略対称な形状であって、その延び方向と直交する断面形状が略Ｃ字状に構成された開断面形状のパネル部材である。
【００２７】
具体的には、一対のサイドフレーム部３、５それぞれは、図１及び図２に示すように、側面部３Ａ、５Ａ及びフランジ部３Ｂ、３Ｃ、５Ｂ、５Ｃ等を有する。側面部３Ａ、５Ａはシート幅方向と略直交する第１面部を構成する。
【００２８】
フランジ部３Ｂ、３Ｃは、側面部３Ａの幅方向両端それぞれから第２サイドフレーム部５側に延出するとともに、当該端部において第１サイドフレーム部３の延び方向に沿って延びる壁状の突条である。なお、側面部３Ａ、５Ａの幅方向は、シート前後方向と一致する。
【００２９】
フランジ部５Ｂ、５Ｃは、側面部５Ａの幅方向両端それぞれから第１サイドフレーム部３側に延出するとともに、当該端部において第２サイドフレーム部５の延び方向に沿って延びる壁状の突条である。
【００３０】
なお、シート前後方向後端に設けられたフランジ部３Ｂ、５Ｂの延出寸法は、シート前後方向前端に設けられたフランジ部３Ｃ、５Ｃの延出寸法より大きい。側面部３Ａとフランジ部３Ｂ、３Ｃとは金属板に構成された一体成形品である。同様に、側面部５Ａとフランジ部５Ｂ、５Ｃとは金属板に構成された一体成形品である。
【００３１】
アッパーパネル部７は、シート幅方向に延びて第１サイドフレーム部３の上端側と第２サイドフレーム部５の上端側を連結する。当該アッパーパネル部７は、その延び方向と直交する断面形状が略Ｃ字状に構成された開断面形状のパネル状のフレームである。
【００３２】
すなわち、アッパーパネル部７は、図３に示すように、シート前後方向に対して略直交する帯板状のパネル部を構成する第１面部７Ａ、及び上下方向に対して略直交する一対の第２面部７Ｂ、７Ｃを有している。
【００３３】
第１面部７Ａの延び方向中央部には、シート前後方向に貫通した貫通穴７Ｄが設けられている。第２面部７Ｂは、第１面部７Ａの上端においてシート後方側に延出し、シート幅方向に延びる帯板状の突条である。
【００３４】
第２面部７Ｃは、第１面部７Ａの下端においてシート後方側に延出し、シート幅方向に延びる帯板状の突条である。なお、第１面部７Ａ及び一対の第２面部７Ｂ、７Ｃは、金属板に構成された一体成形品である。
【００３５】
そして、アッパーパネル部７の延び方向一端は、第１サイドフレーム部３の上端に溶接等の固定手法にて連結固定されている。アッパーパネル部７延び方向他端は、第２サイドフレーム部５の上端に溶接等の固定手法にて連結固定されている。
【００３６】
アッパーパネル部７には、一対のサポートブラケット８Ａ、８Ｂが固定されている。一対のサポートブラケット８Ａ、８Ｂは、ヘッドレスト（図示せず。）を支持するための筒状（本実施計形態では、角筒状）の部材である。なお、ヘッドレストは、着席者の頭部を支持するため部材である。
【００３７】
各サポートブラケット８Ａ、８Ｂは、シート幅方向に離間配置された状態で略上下方向に延びている。本実施形態に係る各サポートブラケット８Ａ、８Ｂは、第２面部７Ｂを上下方向に貫通した状態で一対の第２面部７Ｂ、７Ｃに溶接固定されている。
【００３８】
２．レバーブラケット
２．１  レバーブラケット等の概要
図３に示すように、シートバックフレーム１の上端側のうちシート幅方向一端側、つまり第１サイドフレーム部３の上端側には、レバーブラケット９が設けられている。レバーブラケット９は、操作レバー２０を支持するとともに、当該操作レバー２０に作用する操作力を受ける。操作レバー２０は、乗員により手動操作される操作部である。
【００３９】
なお、本実施形態に係る操作レバー２０は、ウォークイン機構２１を操作するための操作部であって、シートバックの上端側のうちシート幅方向一端側に配設される。ウォークイン機構２１は、「シートバックがシート前方側に倒伏する作動に連動して、座部を成すシートクッションをシート前後方向にスライド可能とする機能」を実現するための機構である。
【００４０】
操作レバー２０の操作は、コンロールケーブル等の操作ケーブル２３を介してウォークイン機構２１に伝達される。具体的には、ウォークイン機構２１は、第１サイドフレーム部３の下端側及び第２サイドフレーム部５の下端側に設けられている。
【００４１】
操作ケーブル２３は、可撓性を有するチューブ（図示せず。）、及び当該チューブ内に摺動可能に挿入されたワイヤー（図示せず。）を有する。チューブ及びワイヤーは、図４に示すように、その長手方向中間部で２つに分岐している。
【００４２】
そして、チューブの一端側は、レバーブラケット９に係止固定され、かつ、当該チューブの各他端は各ウォークイン機構２１に係止固定されている。ワイヤーの一端は操作レバー２０に連結され、ワイヤーの各他端は、各ウォークイン機構２１に設けられた稼働レバー等の可動部２１Ａ（図１参照）に連結されている。
【００４３】
レバーブラケット９は、シート後方側から第１サイドフレーム部３の上端側に組み付けられている。具体的には、レバーブラケット９は、第１固定部１１、第２固定部１２及び第３固定部１３を介してシートバックフレーム１に溶接等の固定手法により固定されている。
【００４４】
そして、第１固定部１１及び第２固定部１２は、シートバックフレーム１の上端側のうちシート幅方向一端側に固定されている。第３固定部１３は、アッパーパネル部７のうち第１固定部１１及び第２固定部１２よりシート幅方向他端側に固定されている。
【００４５】
なお、本実施形態では、第１固定部１１は、第１サイドフレーム部３の上端側に固定されている。第２固定部１２は、アッパーパネル部７のシート幅方向一端側上面、つまり第２面部７Ｂのシート幅方向一端に固定されている。第３固定部１３は、第１面部７Ａのうち一対のサポートブラケット８Ａ、８Ｂ間に固定されている。
【００４６】
２．２  操作ケーブルの配索構造
操作ケーブル２３は、図５に示すように、その一端側がレバーブラケット９と第１面部７Ａとの間の空間Ｓ１に配設されているとともに、レバーブラケット９の端部９Ｂ及びアッパーパネル部７の端部７Ｅを通過して空間Ｓ１から当該空間Ｓ１外に配索されている。
【００４７】
そして、図６に示すように、レバーブラケット９には、操作ケーブル２３の配索方向を規制する配索規制部２５が設けられている。配索規制部２５は第１規制部２５Ａ及び第２規制部２５Ｂを有して構成されている。
【００４８】
第１規制部２５Ａは、操作ケーブル２３がシート幅方向（本実施形態では、第１サイドフレーム部３側）に移動することを規制する。第２規制部２５Ｂは、操作ケーブル２３が上下方向（本実施形態では、上方側）に移動することを規制する。
【００４９】
なお、操作ケーブル２３の一端側は、レバーブラケット９と第１面部７Ａとの間の空間Ｓ１に配設されている。このため、レバーブラケット９及びアッパーパネル部７は、シート前後方向の配索方向を規制する規制部として機能する。
【００５０】
第１規制部２５Ａ及び第２規制部２５Ｂは、レバーブラケット９の端部から第１面部７Ａ側に延びた延出部により構成されている。つまり、第１規制部２５Ａ及び第２規制部２５Ｂは、略矩形板状に形成されたプレート部９Ａ（図４参照）の端部側から第１面部７Ａ側に延出し、プレート部９Ａと共に一体成形された一体成形品である。
【００５１】
３．本実施形態に係る乗物用シート（特、シートバックフレーム構造）の特徴
本実施形態に係る操作ケーブル２３は、レバーブラケット９の端部９Ｂ及び又はアッパーパネル部７の端部７Ｅを通過して、レバーブラケット９と第１面部７Ａとに挟まれた空間Ｓ１から当該空間Ｓ１外に配索される（図５参照）。
【００５２】
このため、操作ケーブル２３に操作力が作用したとき操作ケーブル２３が移動し、当該操作ケーブル２３がレバーブラケット９とアッパーパネル部７との隙間に噛み込むおそれがある。
【００５３】
しかし、本実施形態では、操作ケーブル２３の配索方向を規制する配索規制部２５が設けられているので、操作ケーブル２３がレバーブラケット９とアッパーパネル部７との隙間に噛み込むことを抑制できる。したがって、操作ケーブル２３を確実に作動させることができ得る。
【００５４】
配索規制部２５は、シート幅方向を規制する第１規制部２５Ａ、及び上下方向を規制する第２規制部２５Ｂを有し、レバーブラケット９及びアッパーパネル部７は、シート前後方向の配索方向を規制可能であるので、操作ケーブル２３の配索方向を確実に規制できる。
【００５５】
配索規制部２５、つまり第１規制部２５Ａ及び第２規制部２５Ｂは、レバーブラケット９の端部から第１面部７Ａ側に延びた延出部により構成されているので、配索規制部（２５）を容易に設けることができる。
【００５６】
（第２実施形態）
上述の実施形態に係る操作ケーブル２３は、レバーブラケット９の端部９Ｂ及び又はアッパーパネル部７の端部７Ｅを通過して、レバーブラケット９と第１面部７Ａとに挟まれた空間Ｓ１から当該空間Ｓ１外に配索される構造であった（図５参照）。
【００５７】
しかし、本実施形態に係る操作ケーブル２３は、図７及び図８に示すように、アッパーパネル部７の端部７Ｅを通過することなく、レバーブラケット９の端部９Ｂを通過して空間Ｓ１から当該空間Ｓ１外に配索されている。
【００５８】
本実施形態に係る配索規制部２５も、第１規制部２５Ａ及び第２規制部２５Ｂを有する。空間Ｓ１外に配索された操作ケーブル２３は、図７に示すように、第２面部７Ｃに沿って第２サイドフレーム部５側に配索されている。
【００５９】
なお、上述の実施形態と同一の構成要件等は、上述の実施形態と同一の符号を付したので、重複する説明は省略する。
（その他の実施形態）
上述の実施形態に係る一対のサイドフレーム部３、５は、側面部３Ａ、５Ａ及びフランジ部３Ｂ、３Ｃ、５Ｂ、５Ｃ等を有するパネル状であった。しかし、本発明はこれに限定されるものではない。すなわち、例えば、トラス構造のパイプにて一対のサイドフレーム部３、５が構成されたものであってもよい。
【００６０】
上述の実施形態に係る配索規制部２５は、シート幅方向及び上下方向を規制する構成であった。しかし、本発明はこれに限定されるものではない。すなわち、例えば、配索規制部２５は、シート幅方向及び上下方向のうち少なくとも一方の方向を規制する構成としてもよい。
【００６１】
上述の実施形態に係る配索規制部２５は、プレート部９Ａ、つまりレバーブラケット９との一体成形品であった。しかし、本発明はこれに限定されるものではない。すなわち、例えば、配索規制部２５を別部品として製造した後、溶接やネジ等にてレバーブラケット９に一体化してもよい。
【００６２】
上述の実施形態に係る配索規制部２５は、レバーブラケット９に設けられていた。しかし、本発明はこれに限定されるものではない。すなわち、レバーブラケット９及びアッパーパネル部７のうち少なくとも一方に設けられていれば十分である。
【００６３】
上述の実施形態に係る操作レバー２０は、ウォークイン機構２１を操作するための操作レバーであった。しかし、本発明はこれに限定されるものではなく、その他の機構を操作するための機構であってもよい。
【００６４】
上述の実施形態に係る乗物用シートは、自動車用であった。しかし、本発明の適用はこれに限定されるものではなく、鉄道車両、船舶及び航空機等の乗物にも適用できる。
また、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００６５】
１… シートバックフレーム  ３… 第１サイドフレーム部  ３Ａ… 側面部
３Ｂ… フランジ部  ３Ｃ… フランジ部  ５… 第２サイドフレーム部
５Ｂ… フランジ部  ５Ａ… 側面部  ７… アッパーパネル部
７Ａ… 第１面部  ７Ｂ… 第２面部  ７Ｄ… 貫通穴  ７Ｃ… 第２面部
８Ａ、８Ｂ… サポートブラケット  ９… レバーブラケット
２０… 操作レバー  ２１… ウォークイン機構  ２３… 操作ケーブル
２５… 配索規制部  ２５Ａ… 第１規制部  ２５Ｂ… 第２規制部
【図１】
2018020730.tif 000003
【図２】
2018020730.tif 000004
【図３】
2018020730.tif 000005
【図４】
2018020730.tif 000006
【図５】
2018020730.tif 000007
【図６】
2018020730.tif 000008
【図７】
2018020730.tif 000009
【図８】
2018020730.tif 000010